(57)【要約】【課題】公園などにおける既存の階段や急なスロープを撤去する作業を行うことなく、また重機を用いることなく、容易に低コストでバリアフリー化する。【解決手段】既存の階段２の上および少なくともその延長線上に軽量盛土材（ＥＰＳブロック）３を配置し、その上に、既存施設の勾配よりも緩やかな緩斜面となるように所要の仕上げ施工６を行う。軽量盛土による嵩上げであり、既存の階段２が沈降するようなことはない。【選択図】  図１
2004257080.tif 000002
【特許請求の範囲】
【請求項１】
車両の通過を予定していない既存の階段あるいはスロープなどの施設をその勾配よりも緩やかな緩斜面としてバリアフリー化を図るための施工法であって、既存の階段あるいはスロープを撤去することなく、その上および少なくともその延長線上に軽量盛土材を配置し、その上に、既存施設の勾配よりも緩やかな緩斜面となるように所要の仕上げ施工を行うことを特徴とする軽量盛土によるバリアフリー化工法。
【請求項２】
軽量盛土材がＥＰＳブロックである請求項１に記載のバリアフリー化工法。
【請求項３】
車両の通過を予定していない既存の階段あるいはスロープなどの施設の上および少なくともその延長線上に配置された軽量盛土材と、少なくとも該軽量盛土材上に該既存設備の勾配よりも緩やかな緩斜面となるように配置した仕上げ施工材、とを少なくとも備えることを特徴とする軽量盛土によるバリアフリー化施工体。
【請求項４】
軽量盛土材がＥＰＳブロックである請求項３に記載のバリアフリー化施工体。
【請求項５】
ＥＰＳブロックを保護するための壁面材を備えており、ＥＰＳブロックと壁面材との間には樹脂発泡体シートからなるクッション材が挟持されていることを特徴とする請求項４記載のバリアフリー化施工体。
【発明の詳細な説明】
【０００１】
【発明の属する技術分野】
本発明は、公園などの階段や急勾配のスロープを、よりなだらかな勾配のスロープに造りなおす、すなちわバリアフリー化するための工法と該工法による施工体に関する。
【０００２】
【従来の技術】
公園のようなところは車両の通過を予定していない場所であり、多くの場合、そこに設けられる階段やスロープはいわゆる群衆荷重をベース荷重として設計施工されている。一方、近年、公共の場所でのバリアフリー化が要望されており、公園における階段や急勾配のスロープも、８％勾配程度のなだらかなスロープとして、例えば車椅子に乗った人でも、そのままで容易にそこを通過できるようにすることが要望されている。なだらかなスロープを新たに作る場合には、そのような設計を行えばよく、格別の問題はない。しかし、公園における既存の階段や急勾配のスロープをバリアフリー化することは必ずしも容易でない。
【０００３】
その理由は、上記のように、公園における階段やスロープは群衆荷重をベース荷重として設計施工されており、緩斜面化するためにその上に嵩上げ材として土砂などの重量物を敷き込むと設計荷重を超えてしまい、既存の階段やスロープの沈降を引き起こすからである。そのために、既存の設備を取り除き、必要な場合には一定の基礎工事を行った後、緩斜面の造成を行っているのが通常である。また、基礎工事よりもさらに大がかりな地盤改良施工が行われる場合もある。
【０００４】
【発明が解決しようとする課題】
公園などにおける既存の階段や急勾配のスロープを除去する作業は、もともと重機の入り込みを予定していない場所であることもあり、多くの作業時間と所要の経費を必要とする。地盤改良のような施工では大がかりな重機が必要であるという不都合がある。
【０００５】
本発明は上記のような事情に鑑みなされたものであり、その目的は、既存の階段や急なスロープを撤去するような作業を行うことなく、また重機を用いることなく、容易に低コストで、バリアフリー化することのできる新たなバリアフリー化工法、および該工法による構築される施工体を提供することにある。
【０００６】
【課題を解決するための手段】
本発明は、車両の通過を予定していない既存の階段あるいはスロープなどの施設をその勾配よりも緩やかな緩斜面としてバリアフリー化を図るための施工法であって、既存の階段あるいはスロープを撤去することなく、その上および少なくともその延長線上に軽量盛土材を配置し、その上に、既存施設の勾配よりも緩やかな緩斜面となるように所要の仕上げ施工を行うことを特徴とする。
【０００７】
本発明においては、既存斜面を緩やかな緩斜面とするための嵩上げ材として、軽量盛土材が用いられる。そのために、所要に嵩上げしたときに既存の施設にかかる上載荷重を、土砂等を嵩上げ材として用いる従来工法と比較して、大きく低減することができる。仕上げ施工後においても、ほぼ群衆荷重の枠内に収めることが可能となり、施工後に沈降が生じることはない。さらに、軽量盛土材は軽量であり、重機を用いることなく短時間で施工を終えることができる。
【０００８】
軽量盛土材としては、従来の軟弱地盤などにおいて道路などを構築するときに採用されている軽量盛土工法において用いられている、ＥＰＳ（発泡ポリスチレン）、発泡ウレタン、ＦＣＢ（軽量発泡コンクリート）などの軽量盛土材を適宜用いることができるが、施工性を考慮すると、ＥＰＳブロックを用いることは好ましい。
【０００９】
仕上げ施工としては、配置した軽量盛土材上に砂利や砂を薄く敷き詰め、その上にコンクリートを打設する施工法や、ＰＣ（プレキャスト）板を敷設するというような施工法などが挙げられる。仕上げ施工後の斜面勾配は、バリアフリー化施工をしようとする現場の要請に応じて設定されるが、通常、８％勾配程度であり、路線方向の一定距離毎に水平面を配置することはより望ましい。全体を傾斜の緩い階段状としてもよく、斜面領域と階段領域とを併設してもよい。
【００１０】
本発明は、上記施工法で施工される施工体として、車両の通過を予定していない既存の階段あるいはスロープなどの施設の上および少なくともその延長線上に配置された軽量盛土材と、少なくとも該軽量盛土材上に該既存設備の勾配よりも緩やかな緩斜面となるように配置した仕上げ施工材、とを少なくとも備えることを特徴とする軽量盛土によるバリアフリー化施工体をも開示する。ここで用いる軽量盛土材も任意であるが、施工コストや施工後の安全性を考慮すると、ＥＰＳブロックであることは特に好ましい。
【００１１】
軽量盛土材としてＥＰＳブロックを用いる場合に、ＥＰＳブロックの側面側を保護するための壁面材を備えることが望ましい。壁面材は、軽量コンクリート板のような既存の板材を貼り付けて形成してもよく、吹き付けにより形成してもよい。型枠を組み、コンクリートを打設して形成してもよい。いずれの場合も、積み上げたＥＰＳブロックが上載荷重により側方に膨れることにより、壁面材が側方に変形することが起こり得るので、それを回避するために、好ましくは、ＥＰＳブロックと壁面材との間に、発泡ポリエチレン、発泡ポリウレタンのような樹脂発泡体シートからなる厚み３０〜１００ｍｍ程度のクッション材を挟持させておくことが望まれる。ＥＰＳブロックの側方への膨れは該クッション材に吸収され、壁面材の変形を効果的に防止することができる。
【００１２】
【発明の実施の形態】
以下、本発明の一実施の形態を図面を参照しながら説明する。図１は本発明のバリアフリー化工法により施工された施工体の一例を示す断面図であり、図２は図１のＩＩ−ＩＩ線による断面図である。１は公園など車両の通過を予定していない場所での地盤であり、その一部に平均勾配４５％程度の階段２が設置されている。車両の通過を予定していないことから、通常このような階段２の設計上載荷重は群衆荷重がベースとされている。この階段を車椅子でも容易に通過できるような平均勾配８％程度の緩斜面としてバリアフリー化を図る。
【００１３】
最初に、必要な場合には地盤１の表面に敷き砂１ａをして平坦化する。次に、階段２の上およびその延長線上に、軽量盛土材であるＥＰＳブロック３を、敷き詰め後のＥＰＳブロック３群の上面側の平均勾配が例えば８％程度となるようにして、階段幅に合わせて必要個数だけ敷き詰め、嵩上げを行う。ＥＰＳブロック３は矩形状であり、嵩上げ後の表面側は段差状になる。それで、その段差幅ができるだけ小さくなるように厚みや長さの異なる複数種のＥＰＳブロック３を用意することが望ましい。ＥＰＳブロックの場合には、施工現場で適宜の形状に容易にカットすることでできるので、同じ大きさのＥＰＳブロックを用意して、施工現場で適宜寸法合わせをしながら切断と敷き詰めを行うようにしてもよい。階段の表面とＥＰＳブロック３の裏面との間に隙間が生じるような場合には、砂や小石で隙間を埋めることが望ましい。
【００１４】
所要幅および所要勾配でＥＰＳブロック３を敷き詰めた後、必要に応じて、壁面材４（図２）を構築する。壁面材はＥＰＳブロック３の側面が日光により劣化するのを抑制すること、および外観意匠性を向上させること、などを目的に設けられる。この例では、壁面材４はコンクリート壁であり、図示しないが、施工に当たりＥＰＳブロック３の側面に沿って型枠が組まれ、その間にコンクリートが打設される。壁面材４の上端縁の形状は、施工しようとするスロープの路線方向の断面形状（図１に示す断面形状）に一致した形状となるように、型枠が組まれかつコンクリートが打設される。
【００１５】
この例において軽量盛土材はＥＰＳブロックであり、積み上げたＥＰＳブロックは上載荷重により圧縮されてわずかではあるが側方に膨れる（この現象はＥＰＳブロックに限らず他の樹脂発泡体でも生じる）。ＥＰＳブロック３と壁面材４とが密接していると、この膨れにより壁面材４が側方に変形することが起こり得る。それを回避するために、この例では、コンクリートの打設に先立って、ＥＰＳブロック３の側面に沿って、厚さ５０ｍｍ程度の発泡ポリエチレンのような樹脂発泡体シートがクッション材５として挿入している。そして、該クッション材５と型枠との間にコンクリートが打設され、打設コンクリートが硬化した後、型枠を取り去ることにより、図２に示すように、壁面構造が形成される。前記したＥＰＳブロック３の側方への膨らみはクッション材５に吸収されるので、壁面材４に影響を及ぼさない。
【００１６】
なお、壁面材４を上記のようなコンクリートの打設により構築するのは一例であって、既存の軽量コンクリート板のようなものを適宜の手段により貼り付けあるいは留め付けてもよく、コンクリートやモルタルの吹き付けによってもよい。その場合にも、必要な場合には、上記と同様にしてクッション材５をＥＰＳブロックの側面に貼り付けておく。
【００１７】
壁面構造を作った後、ＥＰＳブロック３の上に、所要の仕上げ施工を行う。この例では、砂利や砂を薄く敷き詰めた後、既存施設の勾配よりも緩やかな緩斜面となるようにコンクリート６を打設し、その上に、インターロッキングのような表面化粧処理７を施している。仕上げ施工としては、アスファルト舗装のような手段であってもよい。仕上げ施工に当たって、好ましくは、路線方向の一定距離毎に１５００ｍｍ幅程度の水平面８を配置する。それにより、一層のバリアフリー化が図られる。
【００１８】
なお、前記したように、ＥＰＳブロック３は仕上げ施工後にコンクリートなどの重量（上載荷重）によって圧縮を受け、打設したコンクリート６がわずかではあるが沈下する。コンクリート６の裏面が直接壁面材４の上端縁に接していると、コンクリート６の沈下により壁面材４が損傷を受ける恐れがある。それを回避するために、図２に示すように、壁面材４とコンクリート６の裏面との間に５０ｍｍ程度の隙間が形成されるように、予め壁面材４の上端面の高さと形状を設定しておき、その隙間に前記したクッション材５と同様な素材からなる第２のクッション材９を挟持させることは好ましい。なお、図２で１０は、必要に応じて設けられる手すりである。
【００１９】
上記したように、本発明の施工法では、既存斜面を緩やかな緩斜面とするための嵩上げ材として、軽量盛土材（ＥＰＳブロック３）を用いるために、所要に嵩上げしたときに既存の施設（階段２）にかかる上載荷重を、土砂等を嵩上げ材として用いる従来工法と比較して、大きく低減することがでる。そのために、仕上げ施工後においても、ほぼ群衆荷重の枠内に収めることが可能となる。また、軽量盛土材は軽量であり、重機を用いることなく容易にかつ短時間で施工を終えることができる。
【００２０】
図３は本発明の他の実施の形態を示している。この例では、軽量盛土材（ＥＰＳブロック３）を既存の階段２の上およびその延長方向のみでなく、側方にも積み上げて広範囲にわたって広がるなだらかな勾配のスロープＢとし、その全面を覆うようにして仕上げ施工を施している。この場合には、ＥＰＳブロック３の表面はすべて仕上げ施工材により覆われるので、壁面材を構築する作業を省略することができる。なお、図３で直線状の仮想線で区画される領域Ａは、図１、図２に基づき説明した施工物に相当する領域となる。また、本発明による施工方法は、図示のように既存階段に対してのみならず、既存のスロープに対しても同様にして適用することができる。さらに、仕上げ施工材はコンクリートに限らず、緑化工法などによる植裁のようなものであってもよい。
【００２１】
【発明の効果】
本発明によれば、公園などにおける既存の階段や急なスロープを撤去する作業を行うことなく、また重機を用いることなく、容易に低コストで、バリアフリー化することができるので、公共の福祉向上に大きく寄与することができる。
【図面の簡単な説明】
【図１】本発明によるバリアフリー化工法により施工された施工体の一例を示す断面図。
【図２】図１のＩＩ−ＩＩ線による断面図。
【図３】本発明によるバリアフリー化工法により施工された施工体の他の例を示す斜視図。
【符号の説明】
１…公園など車両の通過を予定していない場所での地盤、２…既存の階段、３…軽量盛土材（ＥＰＳブロック）、４…壁面材、５、９…クッション材、６…表面仕上げ材としてのコンクリート、８…水平面
【図１】
2004257080.tif 000003
【図２】
2004257080.tif 000004
【図３】
2004257080.tif 000005